(57)【要約】【課題】一缶二水路型において、風呂回路の単独使用後に給湯回路を使用する場合であっても、高温出湯を効果的に抑制する。【解決手段】Ｓ１で風呂回路での追い焚きが終了したことが確認されると、コントローラは、Ｓ２でポンプを作動させて風呂回路での湯水の循環を実行する。これにより、風呂回路の単独使用時に加熱された給湯伝熱管の熱が風呂伝熱管に伝達され、給湯伝熱管内の湯温が低下する。そして、Ｓ３の判別で水管サーミスタから得られる給湯伝熱管の検出温度が６０℃以下となり、Ｓ４の判別で給湯熱交換器サーミスタから得られる出口温度が６０℃以下となったことが確認されると、コントローラは、Ｓ５でポンプの作動を停止させて本制御を終了する。【選択図】図２
2019095160.tif 000002
【特許請求の範囲】
【請求項１】
下部にバーナが配置される燃焼室と、
前記燃焼室の上部に配置されて前記バーナに加熱される給湯熱交換器と、前記給湯熱交換器に接続される給水管及び出湯管と、を含んでなる給湯回路と、
前記燃焼室の上部に前記給湯熱交換器と併設されて前記バーナに加熱される風呂熱交換器と、前記風呂熱交換器に接続されて外部の浴槽と接続される配管と、前記配管に設けられるポンプと、を含んでなる風呂回路と、
前記給湯熱交換器内の湯水の温度を検出する湯温検出手段と、
前記バーナの燃焼及び前記ポンプの作動を制御するコントローラと、を備えてなる給湯器であって、
前記コントローラは、前記風呂回路の単独使用による前記バーナの燃焼が行われた後、前記ポンプを作動させて、前記湯温検出手段によって検出される温度が所定温度以下となるまで前記風呂回路において湯水を循環させることを特徴とする給湯器。
【請求項２】
前記出湯管と前記配管とを接続して前記出湯管からの湯を前記配管を介して前記浴槽へ供給可能な落とし込み管と、前記落とし込み管の流路を開閉する開閉手段とを備え、
前記コントローラは、前記ポンプの作動の際には、前記開閉手段によって前記落とし込み管の流路を開放させて、前記給湯熱交換器内の湯水を前記浴槽へ落とし込むことを特徴とする請求項１に記載の給湯器。
【請求項３】
前記燃焼室内へ燃焼用空気を供給可能なファンを備え、
前記コントローラは、前記ポンプの作動と共に前記ファンを回転させることを特徴とする請求項１又は２に記載の給湯器。
【発明の詳細な説明】
【技術分野】
【０００１】
本発明は、バーナを備えた１つの燃焼室に、給湯回路側の給湯熱交換器と風呂回路側の風呂熱交換器とを併設したいわゆる一缶二水路型の給湯器に関する。
【背景技術】
【０００２】
給湯器は、バーナに加熱される給湯熱交換器に、給水管と出湯管とを接続し、出湯管が繋がる外部の給湯栓の開栓により、水道管を介して給水管から供給される水をバーナの燃焼排気で熱交換して出湯させる給湯回路を備えている。これに加えて、風呂熱交換器に配管を介して外部の浴槽を接続する風呂回路を形成して、配管に設けたポンプによって湯水を循環させながら風呂熱交換器で加熱して追い焚きを行うものも知られている。
このような給湯器では、給湯熱交換器と風呂熱交換器とをそれぞれ異なる燃焼室に設置して異なるバーナで加熱する構成（二缶二水路型）の他、特許文献１に開示されるように、１つの燃焼室内に給湯熱交換器と風呂熱交換器とを併設して、２つの熱交換器を共通のバーナで加熱するようにした一缶二水路型の構成もよく用いられている。
【先行技術文献】
【特許文献】
【０００３】
【特許文献１】特開２０１７−１５５９５６号公報
【発明の概要】
【発明が解決しようとする課題】
【０００４】
しかし、給湯回路と風呂回路とを併設している一缶二水路型の給湯器においては、風呂回路を単独使用して浴槽を追い焚きすると、同じバーナによって給湯熱交換器も加熱されることになる。このため、湯水が滞留している給湯熱交換器の伝熱管内で湯温が１００℃以上の高温となる場合があり、この状態で給湯栓が開栓されて給湯回路が使用されると、出湯管から高温の湯が出湯されてしまうおそれがある。給湯回路には、給水管と出湯管とを接続して給湯熱交換器をバイパスするバイパス管が設けられて、出湯時にはバイパス管から水を混合させて出湯温度を抑制する制御が行われるものもあるが、バイパス管への水量を制御する分配弁等の部品が故障すると、高温出湯を回避できなくなってしまう。
【０００５】
そこで、本発明は、一方の通水経路が給湯回路となり、他方の通水経路が風呂回路となる一缶二水路型において、風呂回路の単独使用後に給湯回路を使用する場合であっても、高温出湯を効果的に抑制することができる給湯器を提供することを目的としたものである。
【課題を解決するための手段】
【０００６】
上記目的を達成するために、請求項１に記載の発明は、下部にバーナが配置される燃焼室と、
燃焼室の上部に配置されてバーナに加熱される給湯熱交換器と、給湯熱交換器に接続される給水管及び出湯管と、を含んでなる給湯回路と、
燃焼室の上部に給湯熱交換器と併設されてバーナに加熱される風呂熱交換器と、風呂熱交換器に接続されて外部の浴槽と接続される配管と、配管に設けられるポンプと、を含んでなる風呂回路と、
給湯熱交換器内の湯水の温度を検出する湯温検出手段と、
バーナの燃焼及びポンプの作動を制御するコントローラと、を備えてなる給湯器であって、
コントローラは、風呂回路の単独使用によるバーナの燃焼が行われた後、ポンプを作動させて、湯温検出手段によって検出される温度が所定温度以下となるまで風呂回路において湯水を循環させることを特徴とする。
請求項２に記載の発明は、請求項１の構成において、出湯管と配管とを接続して出湯管からの湯を配管を介して浴槽へ供給可能な落とし込み管と、落とし込み管の流路を開閉する開閉手段とを備え、コントローラは、ポンプの作動の際には、開閉手段によって落とし込み管の流路を開放させて、給湯熱交換器内の湯水を浴槽へ落とし込むことを特徴とする。
請求項３に記載の発明は、請求項１又は２の構成において、燃焼室内へ燃焼用空気を供給可能なファンを備え、コントローラは、ポンプの作動と共にファンを回転させることを特徴とする。
【発明の効果】
【０００７】
請求項１に記載の発明によれば、コントローラは、風呂回路の単独使用によるバーナの燃焼が行われた後、ポンプを作動させて、湯温検出手段によって検出される温度が所定温度以下となるまで風呂回路において湯水を循環させるので、給湯熱交換器から風呂熱交換器内を循環する湯水へ熱移動させて給湯熱交換器内の湯水の温度を低下させることができる。よって、一缶二水路型において、風呂回路の単独使用後に給湯回路を使用する場合であっても、高温出湯を効果的に抑制することができる。特に、給水管と出湯管とを接続して給湯熱交換器をバイパスするバイパス管が設けられる場合、ポンプの作動は、バイパス管に設けた分配弁等が故障してバイパス管から十分な水を混合できない場合でも関係なく行われるので、高い信頼性で高温出湯防止が可能となる。
請求項２に記載の発明によれば、請求項１の効果に加えて、コントローラは、ポンプの作動の際には、開閉手段によって落とし込み管の流路を開放させて、給湯熱交換器内の湯水を浴槽へ落とし込むことで、給湯熱交換器内の高温の湯を水に置換して迅速に給湯熱交換器内の湯温を低下させることができる。
請求項３に記載の発明によれば、請求項１又は２の効果に加えて、コントローラは、ポンプの作動と共にファンを回転させることで、燃焼用空気を利用した放熱作用によって給湯熱交換器内の湯温を効果的に低下させることができる。
【図面の簡単な説明】
【０００８】
【図１】給湯器の概略回路図である。
【図２】高温出湯防止制御のフローチャートである。
【図３】高温出湯防止制御の変更例のフローチャートである。
【図４】高温出湯防止制御の変更例のフローチャートである。
【図５】給湯熱交換器及び風呂熱交換器の各伝熱管の配設例を示す説明図である。
【発明を実施するための形態】
【０００９】
以下、本発明の実施の形態を図面に基づいて説明する。
図１は、給湯器の一例を示す概略回路図である。この給湯器１は、燃焼室２の下部に、互いに数が異なる複数のバーナ４，４・・を備えた３つのバーナユニット３，３・・と、各バーナユニット３に燃焼用空気を供給する燃焼ファン５とが設けられ、燃焼室２内の上部には、バーナ４，４・・の燃焼排気が通過する給湯熱交換器６と風呂熱交換器７とが併設されている。８は点火プラグ、９はフレームロッドで、燃焼室２の上部には、両熱交換器６，７を通過した燃焼排気を排出する排気フード１０が設けられ、燃焼室２の外側には、燃焼室２からの燃焼排気の漏出を検出するヒューズ回路をプリントしたシート状の過熱防止装置１１が巻回されている。
【００１０】
燃焼室２等を収容する器具のガス入口には、外部からのガス配管が接続されるガス管１２が接続されて、各バーナユニット３には、ガス管１２から分岐する分岐管１３，１３・・がそれぞれ接続されると共に、各分岐管１３には、ガス流路を開閉するガス電磁弁１４がそれぞれ設けられている。また、分岐前のガス管１２には、上流側から元ガス電磁弁１５、ガス比例弁１６がそれぞれ設けられている。
【００１１】
給湯熱交換器６は、所定間隔をおいて配設された複数のフィン１７，１７・・を蛇行状に貫通する給湯伝熱管１８を備え、給湯伝熱管１８の入口には、器具の水入口に接続される給水管１９が接続され、給湯伝熱管１８の出口には、器具の湯出口に接続される出湯管２０が接続されている。給湯熱交換器６の外側に露出する給湯伝熱管１８の屈曲部には、給湯伝熱管１８の温度を検出する水管サーミスタ２１が設けられている。また、給水管１９と出湯管２０との間には、給湯熱交換器６をバイパスするバイパス管２２が接続されて、給水管１９とバイパス管２２との接続部には、ステッピングモータにより駆動してバイパス管２２の流量を可変制御する分配弁２３が設けられている。
いる。
【００１２】
さらに、給水管１９におけるバイパス管２２との接続部の上流側には、入水温度を検出する入水サーミスタ２４と、給水管１９を流れる水量を検出する給湯水量センサ２５とが設けられている。
そして、出湯管２０における給湯熱交換器６の出口際には、出口温度を検出する給湯熱交換器サーミスタ２６が設けられ、バイパス管２２との接続部の下流側には、出湯温度を検出する給湯出湯サーミスタ２７と、ステッピングモータにより駆動して出湯管２０の流量を可変制御する水量制御弁２８とが設けられている。
よって、ここには、バーナユニット３に加熱される給湯熱交換器６と、給湯熱交換器６に接続される給水管１９及び出湯管２０、バイパス管２２を含む給湯回路Ａが形成される。
【００１３】
一方、風呂熱交換器７は、フィン１７，１７・・を蛇行状に貫通する風呂伝熱管３０を備え、風呂伝熱管３０の入口には、外部配管を介して外部の浴槽３１のバスアダプタ３２と接続される風呂戻り管３３が接続され、風呂伝熱管３０の出口には、外部配管を介してバスアダプタ３２と接続される風呂往き管３４が接続されている。風呂戻り管３３には、ポンプ３５が設けられると共に、その上流側には、風呂戻り温度を検出する風呂戻りサーミスタ３６が設けられ、ポンプ３５の下流側には、風呂戻り管３３内の湯水の流れによってＯＮ／ＯＦＦ動作する風呂水流スイッチ３７と、水圧によって浴槽３１内の水位を検出する水位センサ３８とが設けられている。また、風呂往き管３４には、風呂往き温度を検出する風呂往きサーミスタ３９が設けられている。
よって、ここには、バーナユニット３に加熱される風呂熱交換器７と、風呂熱交換器７と浴槽３１との間に接続される風呂戻り管３３及び風呂往き管３４とを含む風呂回路Ｂが形成される。
このように、給湯器１は、１つの燃焼室２内に通水経路が異なる給湯熱交換器６と風呂熱交換器７とが併設されて共通のバーナユニット３，３・・によって加熱される一缶二水路型となっている。
【００１４】
そして、給湯回路Ａと風呂回路Ｂとの間には、出湯管２０における水量制御弁２８の下流側と、風呂戻り管３３におけるポンプ３５と風呂戻りサーミスタ３６の間で落とし込み管４１が接続されている。この落とし込み管４１には、上流側に、落とし込み管４１を流れる水量を検出する風呂水量センサ４２が、下流側に、落とし込み管４１を開閉する落とし込み水電磁弁４３がそれぞれ設けられている。さらに、落とし込み水電磁弁４３の下流側には、２つの逆止弁４４，４４がそれぞれ設けられて、逆止弁４４，４４の間には、風呂戻り管３３から逆流した湯水をオーバーフロー口から排出する縁切弁４５が接続されている。
５０はコントローラで、マイコンやメモリの他、各モータの駆動回路、各サーミスタ及びセンサの検出回路等を備え、各サーミスタやセンサ等の検出信号を受けて各弁等を動作させて出湯温制御や浴槽３１への湯張り制御等を行う。５１は給湯リモコン、５２は風呂リモコンである。
【００１５】
以上の如く構成された給湯器１においては、まず通常の給湯は以下の如くなされる。
湯出口に接続された外部配管の給湯栓が開栓されて器具内に通水され、その通水を給湯水量センサ２５で検知すると、コントローラ５０は、燃焼ファン５を所定時間回転させて、燃焼室２内に貯留している燃焼排気を排出させる（プリパージ）。その後、ガス管１２の元ガス電磁弁１５、各ガス電磁弁１４を開弁させ、ガス比例弁１６を所定開度で開弁させて、各バーナユニット３へガスを供給すると共に、イグナイタを作動させて点火プラグ８でバーナ４，４・・に点火する。
これにより、給湯熱交換器６において、給湯伝熱管１８を流れる水がバーナ４の燃焼排気と熱交換されて、加熱された湯が出湯管２０及び外部配管を通って給湯栓から出湯される。
【００１６】
コントローラ５０は、出湯管２０の給湯熱交換器サーミスタ２６によって出口温度を監視し、分配弁２３のステッピングモータを駆動させて、出口温度が、給湯熱交換器６でのドレンの発生や過熱を防止できる温度範囲内に維持されるようにバイパス管２２への流量（バイパス率）を制御する。
また、コントローラ５０は、給湯出湯サーミスタ２７によって出湯温度を監視し、出湯温度が給湯リモコン５１又は風呂リモコン５２で設定された設定温度となるように、各ガス電磁弁１４の開閉制御と、ガス比例弁１６の開度調整とを行うと共に、燃焼ファン５の回転数制御によって空気量を連続的に変化させる。
給湯栓を閉じると、給湯水量センサ２５からの信号停止を確認したコントローラ５０は、元ガス電磁弁１５及びガス電磁弁１４を閉じてバーナ４を消火させ、所定時間燃焼ファン５を回転させる（ポストパージ）。
【００１７】
一方、給湯リモコン５１又は風呂リモコン５２の自動スイッチを押すと、コントローラ５０は、落とし込み管４１の落とし込み水電磁弁４３を開弁して給湯熱交換器６に通水させてバーナ４を燃焼させる。出湯管２０からの湯は、落とし込み管４１及び風呂戻り管３３、風呂往き管３４を通って浴槽３１に供給される。落とし込み管４１に設けた風呂水量センサ４２で検出した水量が設定水量に達すると、落とし込み水電磁弁４３を閉じて落とし込みを終了させる。
次に、ポンプ３５を作動させて、風呂熱交換器７と浴槽３１との間で湯を循環させる。よって、風呂熱交換器７と浴槽３１との間を循環する風呂循環水は、風呂伝熱管３０を流れる際にバーナ４の燃焼排気と熱交換されて設定温度まで追い焚きされる。設定温度に達すると、バーナ４の燃焼を停止させ、ポンプ３５を停止させる。また、風呂リモコン５２の追い焚きスイッチの操作により、任意のタイミングでも追い焚きが可能となっている。
【００１８】
そして、コントローラ５０は、風呂回路Ｂが単独使用されて追い焚きが実行された後は、ポンプ３５を作動させて、バーナ４によって加熱されていた給湯熱交換器６の給湯伝熱管１８内の湯温を低下させて、その後に給湯回路Ａが使用されても高温の湯が出湯されることを防止するようになっている。以下、この高温出湯防止制御を図２のフローチャートに基づいて説明する。
【００１９】
まず、Ｓ１の判別で、風呂回路Ｂでの追い焚きが終了したことが確認されると、コントローラ５０は、Ｓ２でポンプ３５を作動させて、風呂回路Ｂでの湯水の循環を実行する。この循環によって、風呂回路Ｂの単独使用時にバーナ４で加熱されていた給湯伝熱管１８の熱が、フィン１７，１７・・を介して風呂伝熱管３０に伝達され、風呂伝熱管３０内を循環する湯水に移動することになる。従って、給湯伝熱管１８内に滞留していた湯水の湯温が低下する。
【００２０】
次に、Ｓ３の判別で、水管サーミスタ２１から得られる給湯伝熱管１８の検出温度が６０℃以下であるか否かが判別される。ここで６０℃以下であれば、続くＳ４の判別で、給湯熱交換器サーミスタ２６から得られる出口温度が６０℃以下であるか否かが判別される。ここでＳ３での検出温度とＳ４での出口温度との何れかが依然として６０℃を越えていればポンプ３５の作動は継続されるが、両温度が共に６０℃以下であることが確認されると、コントローラ５０は、Ｓ５でポンプ３５の作動を停止させて本制御を終了する。
この高温出湯防止制御により、給湯伝熱管１８内の湯温が低下するため、その後給湯栓が開栓されて給湯回路Ａが使用されても、出湯管２０から１００℃以上の高温の湯が出湯されるおそれがなくなる。
【００２１】
このように、上記形態の給湯器１によれば、コントローラ５０は、風呂回路Ｂの単独使用によるバーナ４の燃焼が行われた後、ポンプ３５を作動させて、水管サーミスタ２１によって検出される温度が所定温度（ここでは６０℃）以下となるまで風呂回路Ｂにおいて湯水を循環させることで、給湯伝熱管１８から風呂伝熱管３０内を循環する湯水へ熱移動させて給湯伝熱管１８内の湯水の温度を低下させることができる。よって、一缶二水路型において、風呂回路Ｂの単独使用後に給湯回路Ａを使用する場合であっても、高温出湯を効果的に抑制することができる。特に、ポンプ３５の作動は、分配弁２３等が故障してバイパス管２２から十分な水を混合できない場合でも関係なく行われるので、高い信頼性で高温出湯防止が可能となる。
【００２２】
なお、上記形態では、湯温検出手段として水管サーミスタと給湯熱交換器サーミスタとを用いて双方の検出温度が６０℃以下の場合にポンプをＯＦＦさせるようにしているが、給湯熱交換器サーミスタの検出温度を用いずに水管サーミスタの検出温度のみを監視してポンプをＯＦＦさせるようにしてもよい。ポンプをＯＦＦさせる所定温度も６０℃に限らず適宜増減可能である。
【００２３】
また、図３に示すように、図２のルーティンにおいて、Ｓ１１で追い焚き終了の確認後、Ｓ１２では、ポンプ３５を作動させると共に、燃焼ファン５も回転させて、燃焼室２内に空気を送るようにしてもよい。
この場合、燃焼室２内に送られた空気が給湯熱交換器６を通過して給湯伝熱管１８やその周囲のフィン１７に接触するため、給湯熱交換器５での放熱を促進させることができる。
そして、Ｓ１３，１４の判別で給湯伝熱管１８の検出温度及び給湯熱交換器６からの出口温度が６０℃以下となったことが確認されると、コントローラ５０は、Ｓ１５でポンプ３５の作動を停止させると共に燃焼ファン５の回転を停止させて本制御を終了する。
【００２４】
このように、図３の変更例によれば、ポンプ３５の作動と共に燃焼ファン５を回転させるので、ポンプ３５による湯温低下作用に加えて、燃焼用空気を利用した放熱作用によって給湯伝熱管１８内の湯温を効果的に低下させることができる。
なお、図３の変更例において、燃焼ファン５のＯＮ／ＯＦＦはポンプ３５のＯＮ／ＯＦＦと同じタイミングとする必要はなく、燃焼ファン５のＯＮ／ＯＦＦをポンプ３５のＯＮ／ＯＦＦより遅らせる等してタイミングをずらせてもよい。
また、この変更例でも、給湯熱交換器サーミスタの検出温度を用いずに水管サーミスタの検出温度のみを監視してポンプ及び燃焼ファンをＯＦＦさせるようにしてもよい。ポンプをＯＦＦさせる温度も６０℃に限らず増減可能である。
【００２５】
さらに、図４に示す変更例では、図３のルーティンにおいて、Ｓ２１で追い焚き終了を確認してＳ２２でポンプ３５及び燃焼ファン５をＯＮさせた後、Ｓ２３の判別で水管サーミスタ２１の検出温度が６０℃を越えていた場合、コントローラ５０は、Ｓ２４で、水落とし込みを行う。この水落とし込みは、落とし込み水電磁弁４３を開弁させて、給湯回路Ａ内の湯水を、落とし込み管４１から風呂戻り管３３及び風呂往き管３４を介して浴槽３１に落とし込むもので、バーナ４を燃焼させず、風呂水量センサ４２で検出される水量が所定水量に達するまで行われる。この水落とし込みにより、給湯伝熱管１８内の湯水が給水管１９から新たに供給される水と置換されることになる。
【００２６】
水落とし込みの実行後、再びＳ２３で水管サーミスタ２１の検出温度を確認し、検出温度が依然として６０℃を越えていれば、再びＳ２４で水落とし込みを行う処理を繰り返す。検出温度が６０℃以下となっていれば、Ｓ２５で、給湯熱交換器サーミスタ２６からの出口温度が６０℃以下か否かを判別する。
そして、Ｓ２５で出口温度が６０℃を越えていた場合は、Ｓ２６で、Ｓ２４と同じ水落とし込みを行い、出口温度が６０℃以下となるまで繰り返す。出口温度が６０℃以下となったら、Ｓ２７でポンプ３５及び燃焼ファン５をＯＦＦさせて本制御を終了する。
【００２７】
このように、図４の変更例によれば、コントローラ５０は、ポンプ３５の作動の際には、落とし込み水電磁弁４３によって落とし込み管４１の流路を開放させて、給湯熱交換器６内の湯水を浴槽３１へ落とし込むので、ポンプ３５及び燃焼ファン５による湯温低下作用に加えて、給湯伝熱管１８内の高温の湯を水に置換して迅速に給湯伝熱管１８内の湯温を低下させることができる。
【００２８】
なお、この変更例においても、給湯熱交換器サーミスタの検出温度を用いずに水管サーミスタの検出温度のみを監視して、水落とし込みやポンプ及び燃焼ファンのＯＦＦを行ってもよい。ポンプをＯＦＦさせる温度も６０℃に限らず増減可能である。
また、この変更例では、水管サーミスタ及び給湯熱交換器サーミスタの検出温度が所定温度を越えていることを確認したタイミングで水落とし込みを行っているが、所定時間の経過を待って検出温度の低下が見られなければ水落とし込みを行うようにしてもよい。さらに、このような条件を設定せず、ポンプのＯＮと同時に水落とし込みを行うようにしてもよい。
そして、燃焼ファンを用いずに図２のようにポンプのＯＮ／ＯＦＦ制御に水落とし込みを加えることも可能である。
【００２９】
その他、上記形態及び各変更例に共通して、給湯器自体の構成も、一缶二水路型であれば、各熱交換器が潜熱回収用の副熱交換器を備えるものであったりしても差し支えない。
一方、一缶二水路型における給湯熱交換器と風呂熱交換器との併設形態は、両熱交換器の各伝熱管が１つの燃焼室内で左右や前後或いは上下に分離して配設される形態の他、両熱交換器の各伝熱管が左右や前後或いは上下に交互に配設されるような混合形態であっても差し支えない。
図５に、上記形態の給湯器１での伝熱管の配設例を示す。ここでは、燃焼室２内で蛇行状に配設される給湯伝熱管１８の直管部１８ａ，１８ａ・・を上段及び下段に分けて配置して、下段から上段にかけて繋がる給湯伝熱管１８とフィン１７とによって給湯熱交換器６を形成すると共に、同じく燃焼室２内で蛇行状に配設される風呂伝熱管３０の直管部３０ａ，３０ａ・・を、上下段の直管部１８ａ，１８ａ・・の間に配置して、中段で繋がる風呂伝熱管３０とフィン１７とによって風呂熱交換器７を形成して、給湯伝熱管１８と風呂伝熱管３０とを上下方向へ交互に配設している。
【符号の説明】
【００３０】
１・・給湯器、２・・燃焼室、３・・バーナユニット、４・・バーナ、５・・燃焼ファン（ファン）、６・・給湯熱交換器、７・・風呂熱交換器、１２・・ガス管、１７・・フィン、１８・・給湯伝熱管、１９・・給水管、２０・・出湯管、２１・・水管サーミスタ（湯温検出手段）、２２・・バイパス管、２３・・分配弁、２４・・入水サーミスタ、２５・・給湯水量センサ、２６・・給湯熱交換器サーミスタ（湯温検出手段）、２７・・給湯出湯サーミスタ、２８・・水量制御弁、３０・・風呂伝熱管、３１・・浴槽、３３・・風呂戻り管（配管）、３４・・風呂往き管（配管）、３５・・ポンプ、３７・・風呂水流スイッチ、４１・・落とし込み管、４２・・風呂水量センサ、４３・・落とし込み水電磁弁（開閉手段）、５０・・コントローラ、５１・・給湯リモコン、５２・・風呂リモコン、Ａ・・給湯回路、Ｂ・・風呂回路。
【図１】
2019095160.tif 000003
【図２】
2019095160.tif 000004
【図３】
2019095160.tif 000005
【図４】
2019095160.tif 000006
【図５】
2019095160.tif 000007